(57)【要約】【課題】演奏操作子や設定操作子等が設置される設置面と、その設置面を覆う蓋部材との間隔を小さくすることにより小型化が図れる電子制御装置付楽器を提供すること。【解決手段】表示パネル２０を、鍵盤１３および操作パネル１４が設置される設置面１５上で、起立・傾倒が可能な状態で取付けた。そして、表示パネル２０が起立したときには、スライド蓋３０を閉じた際のスライド蓋３０の位置を越えて設置面１５上に突出し、表示パネル２０が傾倒したときには、スライド蓋３０を閉じた際のスライド蓋３０と設置面１５との間に収まるようにした。【選択図】　図３
2004085692.tif 000002
【特許請求の範囲】
【請求項１】
演奏操作をするための演奏操作子と、表示パネルおよび各種の設定操作をするための設定操作子を有する電子制御装置と、前記演奏操作子と前記電子制御装置の表面を開閉可能に覆う蓋部材とを備えた電子制御装置付楽器であって、
前記表示パネルを、前記演奏操作子および前記設定操作子が設置される設置面上で、起立・傾倒が可能な状態で取付け、前記表示パネルを起立させたときには、前記蓋部材を閉じた際の蓋部材の位置を越えて前記設置面上に突出し、前記表示パネルを傾倒させたときには、前記蓋部材を閉じた際の蓋部材と前記設置面との間に収まることを特徴とする電子制御装置付楽器。
【請求項２】
演奏操作をするための演奏操作子と、表示パネルおよび各種の設定操作をするための設定操作子を有する電子制御装置と、前記演奏操作子と前記電子制御装置の表面を開閉可能に覆う蓋部材とを備えた電子制御装置付楽器であって、
前記表示パネルを、前記演奏操作子および前記設定操作子が設置される設置面から進退可能にして、前記表示パネルを進出させたときには、前記蓋部材を閉じた際の蓋部材の位置を越えて前記設置面上に突出し、前記表示パネルを後退させたときには、前記蓋部材を閉じた際の蓋部材の位置の内側に収まることを特徴とする電子制御装置付楽器。
【発明の詳細な説明】
【０００１】
【発明の属する技術分野】
本発明は、楽譜等を表示するための表示パネルと各種の設定操作をするための設定操作子を有する電子制御装置を備えた電子制御装置付楽器に関する。
【０００２】
【従来の技術】
従来から、例えば、鍵盤を備えた楽器には、楽譜等を表示するＬＣＤユニットからなる表示パネルを備えたものがある。このような楽器の中に、演奏者の正面に位置する操作パネルの近傍に、演奏者の方に画面を向けて立たせた状態で表示パネルを取り付けたものがある。
【０００３】
【発明が解決しようとする課題】
しかしながら、このように、表示パネルを操作パネルの近傍に立たせて取り付けると、鍵盤や操作パネルの表面と、その表面および表示パネルを覆う蓋部材との間隔が大きくなり、それにともなって楽器本体も大型化するという問題がある。
【０００４】
【発明の概要】
本発明は、上記問題に対処するためになされたもので、その目的は、演奏操作子や設定操作子等が設置される設置面と、その設置面を覆う蓋部材との間隔を小さくすることにより小型化が図れる電子制御装置付楽器を提供することである。
【０００５】
上記の目的を達成するため、本発明にかかる電子制御装置付楽器の構成上の特徴は、演奏操作をするための演奏操作子と、表示パネルおよび各種の設定操作をするための設定操作子を有する電子制御装置と、演奏操作子と電子制御装置の表面を開閉可能に覆う蓋部材とを備えた電子制御装置付楽器であって、表示パネルを、演奏操作子および設定操作子が設置される設置面上で、起立・傾倒が可能な状態で取付け、表示パネルを起立させたときには、蓋部材を閉じた際の蓋部材の位置を越えて設置面上に突出し、表示パネルを傾倒させたときには、蓋部材を閉じた際の蓋部材と設置面との間に収まることにある。
【０００６】
前記のように構成した本発明の電子制御装置付楽器においては、表示パネルを起立・傾倒可能にしているため、電子制御装置付楽器を使用するときには、表示パネルを起立させて、表示パネルの画面に表示される楽譜等を見ながら演奏することができる。また、電子制御装置付楽器を使用しないときには、表示パネルを傾倒させて、演奏操作子および設定操作子が設置される設置面に沿わせることができる。
【０００７】
このため、起立状態での表示パネルの高さに拘わらず、演奏操作子等の表面を閉塞した場合の蓋部材の位置を、前記設置面の近傍にすることができる。この結果、電子制御装置付楽器の小型化が図れる。また、操作が、表示パネルを、演奏操作子および設定操作子が設置される設置面上で、起立・傾倒させるだけであるため簡単である。この場合、表示パネルが傾倒したときに表示パネルによって覆われる設置面の部分に、表示パネルを操作するための設定操作子を設けておくこともできる。
【０００８】
また、本発明にかかる電子制御装置付楽器の構成上の他の特徴は、演奏操作をするための演奏操作子と、表示パネルおよび各種の設定操作をするための設定操作子を有する電子制御装置と、演奏操作子と電子制御装置の表面を開閉可能に覆う蓋部材とを備えた電子制御装置付楽器であって、表示パネルを、演奏操作子および設定操作子が設置される設置面から進退可能にして、表示パネルを進出させたときには、蓋部材を閉じた際の蓋部材の位置を越えて設置面上に突出し、表示パネルを後退させたときには、蓋部材を閉じた際の蓋部材の位置の内側に収まることにある。
【０００９】
この発明においては、表示パネルを設置面から進退可能にしているため、電子制御装置付楽器を使用するときには、表示パネルを、演奏操作子および設定操作子が設置される設置面から突出させて、表示パネルの画面に表示される楽譜等を見ながら演奏することができる。また、電子制御装置付楽器を使用しないときには、表示パネルを、前記設置面から後退させて、同設置面の内部側に収容することができる。このため、この電子制御装置付楽器によっても、突出した際の表示パネルの高さに拘わらず、蓋部材を閉じた場合の位置を、前記設置面の近傍にすることができる。この結果、電子制御装置付楽器の小型化が図れる。この場合、蓋部材の開閉と表示パネルの進退を連動させて、表示パネルの進退のための操作を不要にすることもできる。
【００１０】
【発明の実施の形態】
以下、本発明の一実施形態を図面を用いて説明する。図１は、本発明にかかる電子制御装置付楽器である電子楽器１０を示している。この電子楽器１０は、脚部等を備えた支持台１１と、支持台１１の上に設けられた楽器本体１２とで構成されている。そして、楽器本体１２の上面前部（演奏者側）に、本発明の演奏操作子としての複数の鍵で構成される鍵盤１３が設けられ、鍵盤１３の後方に、本発明の設定操作子としての複数の操作子等を備えた操作パネル１４が設けられている。この鍵盤１３および操作パネル１４は、電子楽器１０を演奏するためのものである。
【００１１】
また、操作パネル１４の一端側には、電気的に画面表示するＬＣＤユニットからなる表示パネル２０が設けられている。この操作パネル１４と表示パネル２０とで本発明の電子制御装置が構成される。また、操作パネル１４における表示パネル２０と鍵盤１３との間の部分は、表示パネル２０を操作するための操作子等を備えた表示パネル操作部１４ａで構成されている。そして、楽器本体１２における操作パネル１４および表示パネル２０の後方部分が、鍵盤１３および操作パネル１４が設置された設置面１５よりも高さが高くなった天板部１６に形成され、天板部１６の上面に、譜面を置くための譜面板１７および譜面受け１７ａが設けられている。また、天板部１６の下方における設置面１５の後方には、スライド蓋３０（図３参照）を収容するための蓋収容部１８が設けられている。
【００１２】
表示パネル２０の前面（表示パネル２０が起立状態のときの前面）には、楽譜等を表示するための画面が設けられており、表示パネル２０の下端には、図２に示すように、回転連結部２１が設けられている。そして、表示パネル２０は、この回転連結部２１等を介してスライド部材２２の上端に連結されている。スライド部材２２は、楽器本体１２の設置面１５に設けられた溝状のレール部２３にスライド可能に取り付けられており、レール部２３は、設置面１５における一端近傍から中央近傍まで延びている。このため、表示パネル２０は、スライド部材２２とともにレール部２３に沿って、設置面１５上を、図１の左右方向に移動できる。
【００１３】
また、スライド部材２２は、略方形状のブロックで形成され、その上端には、表示パネル２０の回転連結部２１を回転可能に連結させるための凹部２２ａが設けられている。凹部２２ａは、スライド部材２２の上端部分における前面中央（図２の左側）から上面における前部中央に掛けて設けられており、側面形状が、スライド部材２２の前面と上面が交差する縁部近傍を中心とする略扇形に形成されている。そして、スライド部材２２の凹部２２ａ形成面における前部の底面から後部の内側面に掛けて形成された曲面の両端部分は、水平方向に延びる係合溝が複数形成された係合面２２ｂに形成されている。
【００１４】
また、スライド部材２２における凹部２２ａ形成面の両側部には支軸２４が掛け渡され、回転連結部２１には両側面に貫通する挿通穴が設けられている。そして、この挿通穴に、支軸２４を挿通させることにより、回転連結部２１は、スライド部材２２に対して回転可能に連結されている。また、回転連結部２１の両側面には、弾性係合片２５が取り付けられており、この弾性係合片２５の先端部は、係合面２２ｂの各係合溝と係合可能になっている。
【００１５】
すなわち、回転連結部２１を、支軸２４を中心として回転させると、弾性係合片２５は、係合面２２ｂの突起部分の抗力を受けて撓むことにより、同突起部分を乗り越えることができる。また、弾性係合片２５は、係合面２２ｂの溝部分と係合することによって、真っ直ぐに延びた状態になり、回転連結部２１をスライド部材２２に対して静止させた状態に維持することができる。このため、表示パネル２０を、図２のような起立状態（実線の部分）と設置面１５に沿った傾倒状態（二点鎖線の部分）との間の任意の角度で静止させることができる。
【００１６】
スライド蓋３０は、図３に示したように、設置面１５上（二点鎖線で示した位置）と蓋収容部１８内（実線で示した位置）との間で矢印方向にスライド移動が可能になっており、設置面１５上に移動させることにより、鍵盤部１３、操作パネル１４および表示パネル２０の上面を閉塞する。このスライド蓋３０を閉じるときには、表示パネル２０は前方に倒しておく。また、スライド蓋３０を、蓋収容部１８内に収容することにより、設置面１５が開放されて、鍵盤１３、操作パネル１４および表示パネル２０が露呈する。この場合、表示パネル２０は、起立状態にすることができ、傾倒状態にしておくこともできる。
【００１７】
スライド蓋３０をスライド移動させるための機構としては、図３に示したラック３１とピニオン３２を用いることができる。すなわち、楽器本体１２の両側部を形成する側板１９ａ，１９ｂの内側面における後部側に前後に延びるラック３１をそれぞれ取り付けるとともに、スライド蓋３０の下面における後端部の両側にピニオン３２をそれぞれ取り付けて、ラック３１に対してピニオン３２を移動させることにより、スライド蓋３０を移動可能にしている。
【００１８】
また、スライド蓋３０の下面における前端部の両側には、クッション部材を備えた接触子３３が取り付けられて、この接触子３３が、側板１９ａ，１９ｂの内側面の前部側に設けられた前後に延びるガイド（図示せず）に沿って移動可能になっている。このラック３１とピニオン３２および接触子３３とガイドを備えた機構によってスライド蓋３０は、四隅を支持されて安定した状態で前後にスライド移動が可能になっている。なお、譜面板１７は、蝶番１７ｂによって天板部１６に連結されており、蝶番１７ｂの操作により、図示の実線のように立てることができるとともに、図示の二点鎖線のように天板部１６上に倒すこともできる。
【００１９】
このように構成された電子楽器１０を、表示パネル２０の画面を見ながら演奏する際には、表示パネル２０を回転させて画面が正面を向くように立てるとともに、左右方向にスライドさせて演奏者から画面が見えやすい位置に移動させる。そして、表示パネル２０の画面に演奏する曲の楽譜を表示させて、鍵盤１３や操作パネル１４の操作子等を操作する。これによって、電子楽器１０は、鍵盤１３や操作パネル１４の各種の操作子等が有する機能に応じて、楽音、効果音などを発生する。
【００２０】
この場合、演奏者は、表示パネル２０の画面に表示される楽譜を見ながら演奏を行うことができ、その画面に表示される楽譜の内容は時間の経過に従って進行していく。この進行は、表示パネル操作部１４ａの操作子を操作して設定した設定内容にしたがって行われ、演奏開始前にこの設定が行われる。したがって、演奏者は、演奏の途中で表示パネル２０を操作することなく、表示パネル２０の画面を見るだけで、両手は、鍵盤１３や操作パネル１４の操作に専念できる。このため、譜面を使用した場合に、曲の進行に合わせて譜面を捲るような操作は不要になり演奏に集中することができる。
【００２１】
また、譜面板１７に譜面を置いて、電子楽器１０を演奏する場合には、表示パネル２０は、前方に倒して画面を伏せた状態にしてもよいし、立たせたままで画面には目的に応じた画面表示をさせることもできる。画面表示をさせる場合、表示パネル２０の画面には、譜面板１７の譜面と同じ楽譜を拡大表示することもできるし、左手または右手だけのパートの楽譜だけを表示することもできる。このため、演奏者は、譜面板１７の譜面と表示パネル２０の画面の双方を見ながら電子楽器１０を演奏することができる。また、表示パネル２０を前方に倒して、電子楽器１０を演奏する場合、表示パネル２０によって塞がれてしまう操作子は、表示パネル２０の操作をするための表示パネル操作部１４ａに設けられた操作子であるため演奏に支障は生じない。
【００２２】
電子楽器１０を使用しない場合には、表示パネル２０を前方に倒して画面を伏せた状態にするとともに、スライド蓋３０を蓋収容部１８内から引っ張り出して、鍵盤１３、操作パネル１４および表示パネル２０の上面を閉塞する。この場合、図３の二点鎖線で示すように、スライド蓋３０の下面は、表示パネル２０の上面の直ぐ上に位置するようになる。このときのスライド蓋３０の位置は、起立状態のときの表示パネル２０の上端部よりも大幅に下方になっている。
【００２３】
このように、この実施形態によれば、表示パネル２０に楽譜等を表示させて、表示パネル２０の画面を見ながら電子楽器１０を演奏する場合には、表示パネル２０を立てるとともに左右方向にスライド移動させて、演奏者が見易い場所に位置させることができる。また、譜面板１７上に譜面を置いて電子楽器１０を演奏する場合には、表示パネル２０の画面には、譜面と異なる任意の画面表示をすることができる。
【００２４】
そして、電子楽器１０を使用しない場合には、表示パネル２０を倒して画面を伏せるとともに、スライド蓋３０で鍵盤部１３、操作パネル部１４および表示パネル２０の上面を閉塞することができる。この場合、スライド蓋３０の位置を、設置面１５に近い位置にすることができるため、楽器本体１２の高さを低くして楽器本体１２を小型化することができる。また、表示パネル２０が倒れる際に塞ぐ設置面１５の部分は、表示パネル２０を操作するための操作子等が設けられた表示パネル操作部１４ａ等であるため、表示パネル２０を設けることによって、スライド蓋３０が大きくなることもない。さらに、電子楽器１０の不使用時に、表示パネル２０はスライド蓋３０に覆われるためほこり等で汚れることが防止される。
【００２５】
また、表示パネル２０が、操作パネル１４の近傍に配置されているため、接続のための長い配線ケーブル等は不要である。さらに、表示パネル２０の変形例として、表示パネル２０の画面に、タッチパネルによるスイッチを設けておくこともできる。この場合、表示パネル２０の設置位置が演奏者の近くであるとともに、表示パネル２０を移動させることにより、さらに演奏者の近くに位置させることができため、演奏者は、簡単に手が届き、操作が容易になる。
【００２６】
また、この電子楽器１０においては、演奏後、スライド蓋３０を閉じる際に、スライド蓋３０の前端部で、起立状態の表示パネル２０の裏面を押しながらスライド蓋３０を前方に引き出すこともできる。これによると、表示パネル２０は、使用開始の際に立てるだけですみ、使用後は、スライド蓋３０を閉じるときのスライド蓋３０の移動に連動して前方に倒れるようになる。このため、表示パネル２０の操作の簡略化が図れる。
【００２７】
図４は、本発明の他の実施形態による電子制御装置付楽器である電子楽器４０を示している。この電子楽器４０は、脚部等を備えた支持台４１と、支持台４１の上に設けられた楽器本体４２とで構成されている。そして、楽器本体４２の上面前部である設置面４５は前側が低くなった傾斜面に形成され、その後方が天板部４６に形成されている。設置面４５における前部中央には、複数の鍵で構成される鍵盤４３ａが設けられ、設置面４５における鍵盤４３ａの後方には、鍵並び方向を鍵盤４３ａよりも設置面４５の他端側（図４の右方向）にずらした状態で鍵盤４３ｂが、鍵盤４３ａと段違いで設けられている。
【００２８】
また、設置面４５における鍵盤４３ａ，４３ｂの一端側の前部には、複数の操作子等を備えた操作パネル４４が設けられ、操作パネル４４の後方には、表示パネル５０が設けられている。そして、天板部４６の上面における前端縁部に、鍵盤４３ａ，４３ｂ等が設置された設置面４５の上面を開閉するための開閉蓋６０が回転可能に取り付けられている。
【００２９】
表示パネル５０の前面には、楽譜等を表示する画面が設けられており、表示パネル５０の下端面には、図５に示すように、ばね部材５１が取り付けられている。そして、表示パネル５０は、このばね部材５１を介して、ブロック状のスライド部材５２の上端面に連結されている。スライド部材５２は、楽器本体４２の設置面４５に設けられた溝状のレール部５３にスライド可能に取り付けられており、レール部５３は、設置面４５における一端近傍から鍵盤４３ｂの一端近傍まで延びている。このため、表示パネル５０は、ばね部材５１を介してスライド部材５２とともに、レール部５３に沿って図４の左右方向に移動可能になっている。また、表示パネル５０は、上端面を押さえてばね部材５１を収縮させることにより、レール部５３内（図５に二点鎖線で示した位置）に収容することができる。
【００３０】
開閉蓋６０は、両側の端部を一対のヒンジ連結部６１によって天板部４６の上面に連結されており、自由端を矢印方向に降ろすことにより、図６に一点鎖線で示したように、鍵盤４３ａ，４３ｂ、操作パネル４４および表示パネル５０の上面を閉塞する。また、開閉蓋６０は、自由端を上方に持ち上げることにより、鍵盤４３ａ，４３ｂ等の上面を開放して露呈させる。この際、開閉蓋６０を閉じたときに、開閉蓋６０の下面によって、表示パネル５０の上端部が下方に押され、表示パネル５０は、レール部５３の内部に収容される。また、開閉蓋６０を開いたときに、表示パネル５０は、開閉蓋６０の重さによる押圧から解放されて、ばね部材５１の復元力によって設置面４５上に突出する。
【００３１】
このように構成された電子楽器４０を使用する場合、開閉蓋６０を持ち上げることにより、表示パネル５０が設置面４５上に突出するため、鍵盤４３ａ，４３ｂおよび操作パネル４４の操作子を操作することにより表示パネル５０に表示される画面を見ながら演奏することができる。また、電子楽器４０を使用しない場合には、開閉蓋６０を回転させ設置面４５上を閉塞する。このとき、表示パネル５０は、開閉蓋６０とともに下降して、レール部５３内に収容されるため、表示パネル５０の昇降のための操作は不要になる。この電子楽器４０のそれ以外の作用効果については、前述した電子楽器１０と同様である。
【００３２】
図７は、本発明のさらに他の実施形態による電子制御装置付楽器である電子楽器の楽器本体７２を示している。この楽器本体７２は、図２に示したレール部２３およびスライド部材２２と同様の構成からなるレール部およびスライド部材（図示せず）を備えており、表示パネル８０は、回転支持部８１を介してスライド部材に連結されている。回転支持部８１の下端部（図７に実線で示した起立状態のときの下端部）８１ａは、図２に示した回転連結部２１および弾性係合片２５と同様の構成になっており、図７に実線で示した位置と二点鎖線で示した位置との間で矢印ａの方向に回転可能になっている。
【００３３】
また、回転支持部８１の上端部８１ｂには、軸穴が設けられており、この軸穴に、両端部が表示パネル８０の裏面に連結された回転軸８２が回転可能に挿通している。したがって、表示パネル８０は、回転軸８２の軸線を中心として、回転支持部８１の上端部８１ｂの周りで矢印ｂの方向に略１８０度回転できる。この楽器本体７２のそれ以外の部分の構成については、図６に示した楽器本体４２と同じである。したがって、同一部分に同一符号を記している。
【００３４】
このため、表示パネル８０の画面を見ながら演奏する場合には、開閉蓋６０を開くとともに、回転支持部８１を持ち上げて、図７の二点鎖線の位置から実線の位置まで回転させる。そして、表示パネル８０を、画面が演奏者側に向くように回転させる。これによって、表示パネル８０の画面を見ながら演奏することができる。また、演奏が終了すると、表示パネル８０を、画面が上方に向くように回転させながら、回転支持部８１を前方に倒す。これによって、表示パネル８０を、二点鎖線で示した開閉蓋６０の下方に収容することができる。
【００３５】
また、前述した各実施形態における表示パネル２０，８０を設定面１５上で起立・傾倒させるための機構や、表示パネル５０を設定面４５から進退させるための機構は、他の機構に変更して実施することが可能である。さらに、表示パネル２０，８０の起立・傾倒の動作とスライド蓋３０の開閉の動作や、表示パネル５０の進退の動作と開閉蓋６０の開閉の動作を電気的な制御で連動させることもできる。また、本発明にかかる電子制御装置付楽器には、鍵盤からなる演奏操作子に代えてボタン操作子やホイール操作子からなる演奏操作子を備えたものも含まれる。
【図面の簡単な説明】
【図１】本発明にかかる電子制御装置付楽器の一実施形態による電子楽器を示す斜視図である。
【図２】図１に示した電子楽器が備える表示パネルとスライド部材の連結状態を示す一部断面図である。
【図３】図１に示した電子楽器の楽器本体を示す縦断面図である。
【図４】他の実施形態による電子楽器を示す斜視図である。
【図５】図４に示した電子楽器が備える表示パネルとスライド部材の連結状態を示す断面図である。
【図６】図４に示した電子楽器の楽器本体を示す縦断面図である。
【図７】さらに他の実施形態による電子楽器の楽器本体を示す縦断面図である。
【符号の説明】
１０，４０…電子楽器、１３，４３ａ，４３ｂ…鍵盤、１４，４４…操作パネル、１５，４５…設置面、２０，５０，８０…表示パネル、３０…スライド蓋、６０…開閉蓋。
【図１】
2004085692.tif 000003
【図２】
2004085692.tif 000004
【図３】
2004085692.tif 000005
【図４】
2004085692.tif 000006
【図５】
2004085692.tif 000007
【図６】
2004085692.tif 000008
【図７】
2004085692.tif 000009